(57)【要約】  複数のオブジェクトを表示する表示部１３と、表示部１３に表示されたオブジェクトに対応する位置の接触を検出する接触検出部１１と、接触検出部１１への接触による押圧を検出する押圧検出部１２と、接触検出部１１により表示部１３に表示されたオブジェクトに対応する位置の接触が検出され、押圧検出部１２により検出される押圧に基づくデータが所定の基準を満たすと、当該オブジェクトに関連付けられた処理を実行する制御部１０と、を備え、制御部１０は、前記オブジェクトが表示されている表示部１３の表示エリア間で所定の基準が相違するように制御する。
2013001779.tif 000002
【特許請求の範囲】
【請求項１】
複数のオブジェクトを表示する表示部と、
該表示部に表示されたオブジェクトに対応する位置の接触を検出する接触検出部と、
該接触検出部への接触による押圧を検出する押圧検出部と、
前記接触検出部により前記表示部に表示されたオブジェクトに対応する位置の接触が検出され、前記押圧検出部により検出される押圧に基づくデータが所定の基準を満たすと、当該オブジェクトに関連付けられた処理を実行する制御部と、を備え、
前記制御部は、前記オブジェクトが表示されている前記表示部の表示エリア間で前記所定の基準が相違するように制御する、
ことを特徴とする携帯電子機器。
【請求項２】
前記制御部は、前記接触検出部による前記表示部の同一の表示エリアのオブジェクトへの接触回数が所定値を満たした場合、当該表示エリア以外の表示エリアの前記所定の基準が当該表示エリアの前記所定の基準よりも低くなるように制御する、
ことを特徴とする請求項１に記載の携帯電子機器。
【請求項３】
前記制御部は、前記表示部の画面上部の表示エリアの前記所定の基準が、他の表示エリアの前記所定の基準よりも低くなるように制御する、
ことを特徴とする請求項１に記載の携帯電子機器。
【請求項４】
前記制御部は、前記表示部に複数のオブジェクトを表示するアプリケーションに応じて、前記表示エリア間で前記所定の基準が相違するように制御する、
ことを特徴とする請求項１に記載の携帯電子機器。
【請求項５】
前記制御部は、前記接触回数が前記所定値を満たした表示エリアからの距離に応じて、当該表示エリア以外の表示エリアの前記所定の基準が徐々に低くなるように制御する、
ことを特徴とする請求項２に記載の携帯電子機器。
【請求項６】
前記制御部は、前記表示部の画面下部の表示エリアから画面上部の表示エリアに向かって所定の基準が徐々に低くなるように制御する、
ことを特徴とする請求項３に記載の携帯電子機器。
【発明の詳細な説明】
【関連出願の相互参照】
【０００１】
本出願は、２０１１年６月２７日に日本国に出願された特願２０１１−１４２１１３の優先権を主張するものであり、この先の出願の開示全体を、ここに参照のために取り込む。
【技術分野】
【０００２】
本発明は、ユーザの接触を検出可能な携帯電子機器に関するものである。
【背景技術】
【０００３】
従来の携帯電子機器として、例えば、液晶モニタの上面に、タッチ位置および押圧力が検出可能なタッチパネルを設け、タッチパネルへのタッチ位置および押圧の強さに応じてカメラ操作系に対して異なる指示を与えるようにしたデジタルカメラが提案されている（例えば、特許文献１参照）。また、近年では、機器本体の一面のほぼ全域を表示画面およびタッチパネルとした携帯電話機やスマートフォンも種々提案されている。
【先行技術文献】
【特許文献】
【０００４】
【特許文献１】特開平１１−３５５６１７号公報
【発明の概要】
【発明が解決しようとする課題】
【０００５】
ところで、タッチパネルによりユーザの操作を検出する場合は、接触による押圧の強さに応じて指示を与えることができる。この場合、例えば、ある一定以上の押圧が加えられないと、操作を検出しないようにすれば、単に誤って触れただけで操作が検出されてしまうという誤作動を防ぐことができる。しかし、その一方では、ユーザは、操作のたびにタッチパネルに一定以上の押圧を加える必要がある。そのため、押圧を加える場合は、単なるタッチ操作の場合よりも押圧によって携帯電子機器が手から落下しないように、機器を確実に把持する必要がある。【０００６】
しかしながら、携帯電子機器は、通常、ユーザによる把持状態において、把持している手からはみ出した大きさを有している。そのため、機器本体の一表面のほぼ全域を表示画面およびタッチパネルとした携帯電子機器においては、ユーザが把持している場所に対応するエリアを押圧する場合は特に問題ないが、ユーザが把持していない場所に対応するエリアを押圧する場合は、押圧によって機器が動いてしまうことがある。その結果、押圧が適当に加えられずに、操作が検出されなかったり、あるいは機器を落下させてしまったりすることが生じるおそれがある。【０００７】
したがって、かかる点に鑑みてなされた本発明の目的は、ユーザの操作を確実に検出することができるとともに、操作の際の機器の落下も有効に防止できる携帯電子機器を提供することにある。
【課題を解決するための手段】
【０００８】
上記目的を達成する第１の観点に係る発明は、
複数のオブジェクトを表示する表示部と、
該表示部に表示されたオブジェクトに対応する位置の接触を検出する接触検出部と、
該接触検出部への接触による押圧を検出する押圧検出部と、
前記接触検出部により前記表示部に表示されたオブジェクトに対応する位置の接触が検出され、前記押圧検出部により検出される押圧に基づくデータが所定の基準を満たすと、当該オブジェクトに関連付けられた処理を実行する制御部と、を備え、
前記制御部は、前記オブジェクトが表示されている前記表示部の表示エリア間で前記所定の基準が相違するように制御する、
ことを特徴とするものである。【０００９】
第２の観点に係る発明は、第１の観点に係る携帯電子機器において、
前記制御部は、前記接触検出部による前記表示部の同一の表示エリアのオブジェクトへの接触回数が所定値を満たした場合、当該表示エリア以外の表示エリアの前記所定の基準が当該表示エリアの前記所定の基準よりも低くなるように制御する、
ことを特徴とするものである。【００１０】
第３の観点に係る発明は、第１の観点に係る携帯電子機器において、
前記制御部は、前記表示部の画面上部の表示エリアの前記所定の基準が、他の表示エリアの前記所定の基準よりも低くなるように制御する、
ことを特徴とするものである。【００１１】
第４の観点に係る発明は、第１の観点に係る携帯電子機器において、
前記制御部は、前記表示部に複数のオブジェクトを表示するアプリケーションに応じて、前記表示エリア間で前記所定の基準が相違するように制御する、
ことを特徴とするものである。【００１２】
第５の観点に係る発明は、第２の観点に係る携帯電子機器において、
前記制御部は、前記接触回数が前記所定値を満たした表示エリアからの距離に応じて、当該表示エリア以外の表示エリアの前記所定の基準が徐々に低くなるように制御する、
ことを特徴とするものである。【００１３】
第６の観点に係る発明は、第３の観点に係る携帯電子機器において、
前記制御部は、前記表示部の画面下部の表示エリアから画面上部の表示エリアに向かって前記所定の基準が徐々に低くなるように制御する、
ことを特徴とするものである。
【発明の効果】
【００１４】
本発明に係る携帯電子機器によれば、ユーザの操作を確実に検出することができるとともに、操作の際の機器の落下も有効に防止することができる。
【図面の簡単な説明】
【００１５】
【図１】本発明の第１実施の形態に係る携帯電子機器の要部の構成を示す機能ブロック図である。
【図２】図１の携帯電子機器の一例の平面図である。
【図３】第１実施の形態の動作を説明するフローチャートである。
【図４】本発明の第２実施の形態に係る携帯電子機器の一動作例を示すフローチャートである。
【図５】第２実施の形態の動作を説明するためのオブジェクトの表示エリアの一例を示す図である。
【図６】本発明の第３実施の形態に係る携帯電子機器の一動作例を示すフローチャートである。
【発明を実施するための形態】
【００１６】
以下、本発明の実施の形態について、図を参照して説明する。なお、以下に例示する実施の形態では、押圧に基づくデータの所定の基準を、便宜上、ユーザの操作を検出する閾値として説明する。
【００１７】
（第１実施の形態）
図１は、本発明の第１実施の形態に係る携帯電子機器の要部の構成を示す機能ブロック図である。図１に示す携帯電子機器１は、制御部１０、接触検出部１１、押圧検出部１２、表示部１３、および、記憶部１４を備える。
【００１８】
接触検出部１１は、例えば表示部１３の表示面上に配置されたタッチパネルを備え、表示部１３に表示されたオブジェクトに対応する位置の接触を検出する。接触検出部１１で検出される接触位置の情報は、制御部１０へ出力される。なお、タッチパネルは、抵抗膜方式、静電容量式、光学式等の公知のものが使用可能である。
【００１９】
押圧検出部１２は、接触検出部１１に対して操作者が操作を行う際の押圧を検出するもので、例えば、押圧に応じて物理的または電気的な特性（歪み、抵抗、電圧等）が変化する歪みゲージセンサや圧電素子等の素子等を用いて構成される。押圧検出部１２が、例えば、圧電素子等を用いて構成された場合、押圧検出部１２の圧電素子は、接触検出部１１に対する押圧に係る荷重（力）の大きさ（または、荷重（力）の大きさが変化する速さ（加速度））に応じて、電気的な特性である電圧の大きさ（電圧値（以下、押圧に基づくデータと称する））が変化する。そして、制御部１０は、押圧に基づくデータが所定の閾値以上である場合に、例えばアプリケーション基づくなどして、所定の処理を行うように制御することができる。
【００２０】
制御部１０は、押圧検出部１２が押圧に基づくデータを制御部１０に通知することにより、または、制御部１０が、押圧検出部１２の押圧に基づくデータを検出することにより、当該押圧に基づくデータを取得する。つまり、制御部１０は、接触検出部１１に対する押圧に基づくデータを押圧検出部１２から取得する。なお、押圧に基づくデータは、電圧値の代わりに、押圧に係る荷重の大きさ、電力値、抵抗値等でもよい。
【００２１】
また、押圧検出部１２は、接触検出部１１のタッチパネルの接触検出方式に応じて構成することができる。例えば、タッチパネルが抵抗膜方式の場合には、接触面積の大きさに応じた抵抗の大きさを、タッチパネルのタッチ面に対する押圧の荷重（力）に対応付けることにより、歪みゲージセンサや圧電素子等を用いることなく構成することができる。あるいは、タッチパネルが静電容量方式の場合には、静電容量の大きさを、タッチパネルに対する押圧の荷重（力）に対応付けることにより、歪みゲージセンサや圧電素子等を用いることなく構成することができる。
【００２２】
また、押圧検出部１２は、タッチパネルを押圧したときに生じる、タッチパネルと表示部１３との隙間の変化を測定するものであってもよい。この場合、押圧に基づくデータは、隙間の変化値に対応する。なお、押圧検出部１２は、タッチパネルと他の部品、例えば回路基板との隙間の変化を測定するものであってもよい。
【００２３】
表示部１３は、実行されるアプリケーションに従って複数のオブジェクトを表示するとともに、ユーザの操作に応じてキャラクタを表示する。
【００２４】
記憶部１４は、押圧検出部１２により検出される押圧に基づくデータがユーザの操作を検出する所定の基準を設定するための閾値を記憶するメモリ、制御部１０の作業用メモリ、プログラム格納メモリなど、当該携帯電子機器１の動作に必要なメモリを便宜上１つの記憶部として表示したものである。この記憶部１４には、表示部１３におけるオブジェクトの表示エリアに設定される閾値が記憶される。
【００２５】
制御部１０は、携帯電子機器１の全体の動作を制御する。そして、制御部１０は、接触検出部１１からの入力情報および押圧検出部１２から入力される押圧に基づくデータに基づいて処理を実行して、その結果を表示部１３に表示する。
【００２６】
図２は、図１に示した機能ブロックを内蔵する携帯電子機器１の一例の平面図である。この携帯電子機器１は、表面の外形が長方形状となっており、その表面の外枠部１ａを除くほぼ全域が図１の表示部１３の画面１３ａとなっている。そして、画面１３ａ上にタッチパネルからなる透明な接触検出部１１が配置されている。
【００２７】
このような携帯電子機器１において、例えば、メモ帳やメール入力画面等の文字入力アプリケーションが起動されると、画面１３ａには、例えば、図２に示されているように複数のオブジェクトが表示される。図２は、画面１３ａの下半分の表示エリアＲ１に文字入力操作に使用するテンキーのオブジェクトが表示され、画面１３ａの上半分の表示エリアＲ２に、文字入力操作の結果を表示する画面や、文字入力操作とは直接関係ない他のアプリケーションを起動するためのキー等のオブジェクトが表示されている例を示している。なお、画面１３ａの下半分には、テンキーに代えてＱＷＥＲＴＹキー等が表示される場合もある。
【００２８】
つまり、文字入力アプリケーションでは、文字の入力操作の際に頻繁に使用されるテンキーを画面１３ａの上側の表示エリアＲ２に表示すると、文字の入力操作の際にユーザ自身の手で画面１３ａが隠されて、文字の入力操作がしづらくなってしまう。そのため、操作頻度の高いテンキーは、画面１３ａの下側の表示エリアＲ１に表示され、テンキーよりも使用頻度の低い移動キーや決定キー等のオブジェクト、文字入力結果や他のアプリケーションを起動するためのオブジェクト等は、画面１３ａの上側の表示エリアＲ２に表示される。
【００２９】
この場合、ユーザは、一般に、操作頻度の高いテンキーが表示されている携帯電子機器１の下半分に把持中心が位置するように、携帯電子機器１を把持することになる。そのため、ユーザが把持している部分に対応する表示エリアＲ１に表示されたテンキーを押圧する場合は、特に問題は生じない。しかし、ユーザが把持していない部分に対応する画面１３ａの上半分の表示エリアＲ２に表示されたオブジェクトを押圧する場合は、押圧によって携帯電子機器１が動いてしまうことがある。その結果、ユーザによる押圧操作を検出する所定の基準を、画面１３ａの全ての領域において一定に設定すると、携帯電子機器１が不安定となって押圧が適当に加えられず、入力操作が検出されなかったり、携帯電子機器１を落下させてしまったりすることが生じるおそれがある。
【００３０】
その対策として、本実施の形態に係る携帯電子機器１おいては、記憶部１４に所定の基準として二つの閾値Ａ，Ｂ（Ａ＞Ｂ）を記憶する。ここで、閾値Ａは、画面１３ａに表示される全てのオブジェクトに対して予め設定されている基準閾値である。そして、制御部１０は、図２に示したように、画面１３ａの上半分の表示エリアＲ１および下半分の表示エリアＲ２にそれぞれ接触によるユーザの操作を検出するオブジェクトが表示される文字入力アプリケーションを起動すると、画面１３ａの下半分の閾値は基準閾値Ａのままとし、画面１３ａの上半分の閾値は、基準閾値Ａよりも小さい閾値Ｂに設定を変更する。つまり、制御部１０は、表示部１３に複数のオブジェクトを表示するアプリケーションに応じて、オブジェクトの表示エリア間で異なる閾値を設定する。
【００３１】
図３は、この場合の動作を示すフローチャートである。先ず、制御部１０は、ユーザ操作に基づいて文字入力アプリケーションを起動すると（ステップＳ１０１）、画面１３ａの上半分の表示エリアＲ２の閾値を基準閾値Ａから閾値Ｂに設定変更する（ステップＳ１０２）。そして、この状態で、制御部１０は、画面１３ａの下半分の表示エリアＲ１に表示されたテンキー等のオブジェクトに対応する位置の接触が検出され、押圧検出部１１により検出される押圧に基づくデータが閾値Ａを満たすと、当該オブジェクトに関連付けられた処理を実行する。同様に、制御部１０は、画面１３ａの上半分の表示エリアＲ２に表示されたオブジェクトに対応する位置の接触が検出され、押圧検出部１１により検出される押圧に基づくデータが閾値Ｂを満たすと、当該オブジェクトに関連付けられた処理を実行する。
【００３２】
そして、制御部１０は、ステップＳ１０３において、文字入力アプリケーションの終了操作が行われたのを検知すると、画面１３ａの上半分の表示エリアＲ２の閾値を、閾値Ｂから基準閾値Ａに設定を変更して、つまり元に戻して（ステップＳ１０４）、文字入力アプリケーションを終了する。
【００３３】
このように、本実施の形態によると、アプリケーションに応じて、表示部１３の画面上半分の表示エリアＲ２の閾値が、画面下半分の表示エリアＲ１の閾値（基準閾値）よりも小さく設定される。ここで、携帯電子機器１は、上述したように、通常、画面下側の表示エリアＲ１に対応する部分が、ユーザにより把持される傾向にある。したがって、上述した文字入力アプリケーションにおけるように、画面下側の表示エリアＲ１に操作頻度の高いテンキー等のオブジェクトが表示され、上半分の表示エリアＲ２に操作頻度の低いオブジェクトが表示される場合、押圧による入力操作を確実に検出することができるとともに、入力操作の際の携帯電子機器１の落下も有効に防止することができる。
【００３４】
（第２実施の形態）
本発明の第２実施の形態では、図１に示した機能ブロックを有する携帯電子機器１において、実行されるアプリケーションにおける複数のオブジェクトの表示エリアが、画面の上下方向に３以上ある場合、画面下部の表示エリアから画面上部の表示エリアに向かって閾値が徐々に小さくなる値に設定される。そのため、図１の記憶部１４には、当該機器１において設定可能な３以上の閾値が記憶される。ここでは、説明の便宜上、基準閾値Ａ、閾値Ｂおよび閾値Ｃ（Ａ＞Ｂ＞Ｃ）の３つの閾値が記憶されているものとする。以下、図１を参照しながら、本実施の形態に係る携帯電子機器１の動作を説明する。
【００３５】
なお、本実施の形態において、画面上部または画面下部とは、例えば、ユーザが通常の態様で携帯電子機器１を操作する目的で、携帯電子機器１を略水平に把持した場合における、ユーザに対する画面の手前側が画面下部であり、ユーザに対する画面の奥側が画面上部である。また、画面上部または画面下部は、携帯電子機器１の表示部に対して固定的ではなく、加速度センサなどに基づき、画面の表示態様が反転などする場合においては、画面の表示態様に基づき、画面上部または画面下部も適宜変更されるものである。
【００３６】
図４は、本実施の形態の一動作例を示すフローチャートである。先ず、制御部１０は、ユーザ操作に基づいて例えば文字入力アプリケーションを起動する（ステップＳ２０１）。そして、制御部１０は、起動した文字入力アプリケーションが、図５に示すように、表示部１３の画面１３ａに複数のオブジェクトを表示する場合は、オブジェクトの表示エリアを、画面１３ａの下半分の表示エリアＲ１と、画面１３ａの中央から上の１／４の表示エリアＲ３と、画面１３ａの上から下の１／４の表示エリアＲ４との３つに分割する。
【００３７】
次に、制御部１０は、表示エリアＲ３の閾値を閾値Ｂに設定変更し（ステップＳ２０２）、表示エリアＲ４の閾値を閾値Ｃに設定変更する（ステップＳ２０３）。なお、テンキー等のオブジェクトが表示されている表示エリアＲ１の閾値は、基準閾値Ａのままとする。
【００３８】
その後、制御部１０は、画面１３ａの表示エリアＲ１に表示されたテンキー等のオブジェクトに対応する位置の接触が検出され、押圧検出部１１により検出される押圧に基づくデータが閾値Ａを満たすと、当該オブジェクトに関連付けられた処理を実行する。また、制御部１０は、画面１３ａの表示エリアＲ３に表示されたオブジェクトに対応する位置の接触が検出され、押圧検出部１１により検出される押圧に基づくデータが閾値Ｂを満たすと、当該オブジェクトに関連付けられた処理を実行する。同様に、制御部１０は、画面１３ａの表示エリアＲ４に表示されたオブジェクトに対応する位置の接触が検出され、押圧検出部１１により検出される押圧に基づくデータが閾値Ｃを満たすと、当該オブジェクトに関連付けられた処理を実行する。
【００３９】
そして、制御部１０は、ステップＳ２０４において、文字入力アプリケーションの終了操作が行われたのを検知すると、画面１３ａの上半分の全てのオブジェクトの表示エリアＲ３，Ｒ４の閾値を基準閾値Ａに設定を戻して（ステップＳ２０５）、文字入力アプリケーションを終了する。
【００４０】
このように、本実施の形態によると、アプリケーションに応じて、表示部１３の画面１３ａ上のオブジェクトの表示エリアの閾値が、画面下部の表示エリアから画面上部の表示エリアに向かって徐々に小さくなる値に設定される。したがって、画面上部に表示されるオブジェクト程、小さい閾値で入力操作が検出されるので、押圧による入力操作をより確実に行うことができるとともに、入力操作の際の携帯電子機器１の落下もより有効に防止することができる。
【００４１】
（第３実施の形態）
本発明の第３実施の形態では、図１に示した機能ブロックを有する携帯電子機器１において、表示部１３の同一の表示エリアのオブジェクトへの接触回数が所定値を超えるまでは、全ての表示エリアの閾値を基準閾値Ａとし、接触回数が所定値を超えると、当該表示エリア以外の表示エリアの閾値を、基準閾値Ａよりも小さい値に設定する。ここで、接触回数には、接触したオブジェクトに関連付けられた処理の実行回数の意味合いが含まれる。以下、図１を参照しながら、本実施の形態に係る携帯電子機器１の動作を説明する。
【００４２】
図６は、本実施の形態の一動作例を示すフローチャートである。先ず、制御部１０は、ユーザ操作に基づいて、例えば文字入力アプリケーションを起動する（ステップＳ３０１）。そして、制御部１０は、表示部１３の全てのオブジェクトの表示エリアにおける閾値を基準閾値Ａに維持した状態で、表示部１３に表示されたオブジェクトに対応する位置の接触が検出され、押圧検出部１１により検出される押圧に基づくデータが閾値Ａを満たすと、当該オブジェクトに関連付けられた処理を実行する。
【００４３】
また、制御部１０は、文字入力アプリケーションを起動すると、表示部１３の画面上下方向のオブジェクトの表示エリア毎に、オブジェクトへの接触回数、つまりオブジェクトに関連付けられた処理の実行回数を計数する（ステップＳ３０２）。そして、接触回数が最初に所定値に達した表示エリアを検知すると（ステップＳ３０３）、当該表示エリア以外の表示エリアにおける閾値を、基準閾値Ａよりも小さい値に設定する（ステップＳ３０４）。なお、オブジェクトの接触回数の所定値は、アプリケーションに応じて、２以上の任意の値に設定される。
【００４４】
ここで、閾値は、例えば、図５に示したような複数のオブジェクトが表示部１３に表示されている場合で、画面１３ａの下半分の表示エリアＲ１のオブジェクトの接触回数が所定値に達した場合は、第１実施の形態の場合と同様に、画面１３ａの上半分にある表示エリアＲ３，Ｒ４を一つの表示エリアとして閾値を基準閾値Ａよりも小さい閾値Ｂに設定を変更する。あるいは、第２実施の形態の場合と同様に、画面１３ａの下半分の表示エリアＲ１から離れるのに従って閾値が小さくなるように、表示エリアＲ３では閾値Ｂに、表示エリアＲ４では閾値Ｂよりも小さい閾値Ｃに設定変更する。
【００４５】
なお、図５において、表示エリアＲ３の接触回数が最初に所定値に達した場合は、当該表示エリアＲ３の閾値は基準閾値Ａのままで、当該表示エリアＲ３以外の表示エリアＲ１および表示エリアＲ４の閾値が、基準閾値Ａよりも小さい閾値に設定される。この場合、それぞれの表示エリアＲ１，Ｒ４の閾値は、例えば同じ閾値Ｂに設定してもよい。また、基準閾値Ａの表示エリアＲ３からの距離に応じて遠いほど小さい基準閾値に設定してもよい。例えば、図５の場合は、表示エリアＲ１は閾値Ｂに設定し、表示エリアＲ４は、閾値Ｂより小さい閾値Ｃに設定する。
【００４６】
その後は、上述した実施の形態の場合と同様に、制御部１０は、各表示エリアに表示されたオブジェクトに対応する位置の接触が検出され、押圧検出部１１により検出される押圧に基づくデータが当該表示エリアに対応する閾値を満たすと、当該オブジェクトに関連付けられた処理を実行する。そして、制御部１０は、ステップＳ３０５において、文字入力アプリケーションの終了操作が行われたのを検知すると、画面１３ａの上半分の全ての表示エリアの閾値を基準閾値Ａに設定を元に戻して（ステップＳ３０６）、文字入力アプリケーションを終了する。
【００４７】
このように、本実施の形態によると、表示部１３の同一の表示エリアのオブジェクトへの接触回数が所定値を超えると、当該表示エリア以外の表示エリアの閾値が、初期の基準閾値Ａよりも小さい値に設定される。ここで、携帯電子機器１は、上述したように、通常、操作頻度の高いオブジェクトの表示エリアに対応する部分が、ユーザによって把持される傾向にある。
【００４８】
したがって、本実施の形態によれば、操作頻度の高いオブジェクトの表示エリアを検知することで、ユーザによる把持部分に対応する表示エリアが自動的に検知されたことになる。そして、把持部分に対応する表示エリアの基準閾値Ａに対して、当該表示エリアから外れた表示エリアの閾値が小さく設定される。これにより、上述した実施の形態の場合と同様に、押圧による入力操作を確実に検出することができるとともに、入力操作の際の携帯電子機器１の落下が有効に防止される。特に、第２実施の形態の場合と同様に、表示エリアが操作頻度の高いオブジェクトの表示エリアから離れるのに従って、閾値が小さくなるように設定する場合は、その効果はより顕著となる。
【００４９】
なお、本発明は、上記実施の形態に限定されるものではなく、幾多の変形または変更が可能である。例えば、上述した押圧に基づくデータの閾値は、表示部の表示エリアを複数の表示エリアに分割し、その分割した複数の表示エリアにおいて異なる値の閾値を固定的に設定してもよい。また、上記実施の形態において、文字入力アプリケーションでは、画面上部の方が、閾値が小さかったが、操作頻度の高いオブジェクトが上部に表示される場合など、は画面下部の方が、閾値が小さくなってもよい。また、アプリケーションに基づき表示されるオブジェクトの表示態様などにより、画面右部が画面左部よりも閾値が小さくなってもよい。
【００５０】
また、上記実施の形態の説明における表示部１３および接触検出部１１は、表示部１３と接触検出部１１を構成するタッチパネルとの両機能を共通の基板に持たせる等により、一体化した装置によって構成されるようにしてもよい。このように表示部とタッチパネルとの両機能を一体化した装置の構成の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置をタッチ操作するペンの先端で液晶表示用のバックライトの光を反射し、この反射光を周辺の光電変換素子が受光することによって、タッチ位置を検出することができる。
【００５１】
また、接触検出部１１は、接触を検出する上で、押下物が接触検出部１１を物理的に押下することは必須ではない。例えば、接触検出部１１が光学式である場合、接触検出部１１は接触検出部１１上の赤外線が指やスタイラスペン等の押下物で遮られた位置を検出するため、押下物が接触検出部１１を押下することは不要である。
【００５２】
また、本発明では、押圧検出部により検出される押圧に基づくデータが、操作として検出される所定の基準を満たすと、表示部上の押圧されたオブジェクトに関連付けられた処理を実行する。ここで、上記押圧検出部により検出される押圧に基づくデータが操作として検出される所定の基準を満たすとは、押圧検出部により検出される押圧に基づくデータが操作として認識される所定値（閾値）に達した際であってもよいし、押圧検出部により検出される押圧に基づくデータが操作として認識される閾値を超えた際でもよいし、押圧検出部により操作として認識される閾値が検出された際でもよい。
【符号の説明】
【００５３】
１  携帯電子機器
１０  制御部
１１  接触検出部
１２  押圧検出部
１３  表示部
１３ａ  画面
１４  記憶部
Ｒ１〜Ｒ４  表示エリア
【図１】
2013001779.tif 000003
【図２】
2013001779.tif 000004
【図３】
2013001779.tif 000005
【図４】
2013001779.tif 000006
【図５】
2013001779.tif 000007
【図６】
2013001779.tif 000008
【国際調査報告】
2013001779.tif 000009
2013001779.tif 000010
2013001779.tif 000011
2013001779.tif 000012